(57)【要約】      （修正有）【課題】  火災時に排水管の周囲から煙が上階に漏れ出ないようにすること。【解決手段】  本発明に係る遮煙シートは、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備において使用される遮煙シートであって、下階の排水立て管における受け口の上端面と、前記コンクリートスラブの貫通孔に充填された埋め戻し材の上面と、前記埋め戻し材の周縁に位置する前記コンクリートスラブの上面とを覆うことができるサイズに成形された煙遮断性能を有するシート本体８４と、シート本体８４を受け口の上端面、埋め戻し材の上面及びコンクリートスラブの上面に貼着させる貼着剤８６とを有する。【選択図】      図１
2006322606.tif 000002
【特許請求の範囲】
【請求項１】
集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備において使用される遮煙シートであって、
下階の排水立て管における受け口の上端面と、前記コンクリートスラブの貫通孔に充填された埋め戻し材の上面と、前記埋め戻し材の周縁に位置する前記コンクリートスラブの上面とを覆うことができるサイズに成形された煙遮断性能を有するシート本体と、
前記シート本体を受け口の上端面、前記埋め戻し材の上面及び前記コンクリートスラブの上面に貼着させる貼着剤と、
を有することを特徴とする遮煙シート。
【請求項２】
請求項１に記載の遮煙シートであって、
シート本体は、加熱される面以外の面に所定時間以上継続して火炎が出ないような遮炎性能を有していることを特徴とする遮煙シート。
【請求項３】
請求項１又は請求項２のいずれかに記載の遮煙シートであって、
シート本体は、加熱される面以外の面の温度が予め決められた温度を超えないような遮熱性能を有していることを特徴とする遮煙シート。
【請求項４】
請求項１から請求項３のいずれかに記載の遮煙シートであって、
シート本体は、煙遮断性能を有する煙遮断層と、遮炎性能を有する遮炎層との積層体、あるいは前記煙遮断層と、遮熱性能を有する遮熱層との積層体、あるいは前記煙遮断層と、前記遮炎層と、前記遮熱層との積層体であることを特徴とする遮煙シート。
【請求項５】
請求項１から請求項４のいずれかに記載の遮煙シートであって、
貼着剤として両面テープが使用され、
その両面テープにおいてシート本体に貼着されている面と反対側の面には離型紙が貼り付けられていることを特徴とする遮煙シート。
【請求項６】
請求項１から請求項４のいずれかに記載の遮煙シートであって、
貼着剤としてコーキング剤が使用されていることを特徴とする遮煙シート。
【請求項７】
上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備において使用される遮煙シートであって、
前記排水管継手の横枝管受け口の下側に貼着可能に構成されており、前記コンクリートスラブの貫通孔に充填された埋め戻し材の上面の一部と、前記埋め戻し材の周縁に位置する前記コンクリートスラブの上面の一部とを覆う煙遮断性能を有する受け口下側シートと、
前記排水管継手の横枝管受け口の下側から前記埋め戻し材及びコンクリートスラブの上面に沿って張出した受け口下側シートの張出し部分と、前記受け口下側シートに覆われていない埋め戻し材の上面と、その埋め戻し材の周縁に位置する前記コンクリートスラブの上面とを覆う煙遮断性能を有する管継手周縁シートと、
前記受け口下側シート及び管継手周縁シートを前記埋め戻し材の上面と前記コンクリートスラブの上面とに貼着させる貼着剤と、
を有することを特徴とする遮煙シート。
【請求項８】
請求項７に記載の遮煙シートであって、
排水管継手の胴部に対する管継手周縁シートの接触部分、及び前記排水管継手の胴部に対する受け口下側シートの接触部分に、コーキング剤等の遮煙剤を充填可能な被充填層が設けられていることを特徴とする遮煙シート。
【請求項９】
集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、
下階の排水立て管における受け口の上端面と、前記コンクリートスラブの貫通孔に充填された埋め戻し材の上面と、前記埋め戻し材の周縁に位置する前記コンクリートスラブの上面とが、請求項１から請求項６のいずれかに記載された遮煙シートで覆われていることを特徴とする排水設備における遮煙構造。
【請求項１０】
請求項９に記載された排水設備における遮煙構造であって、
遮煙シートと、上階の排水管継手の胴部との間にはコーキング剤等の遮煙剤が全周に亘って充填されていることを特徴とする排水設備における遮煙構造。
【請求項１１】
集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、
下階の排水立て管における受け口の上端面と、前記コンクリートスラブの貫通孔に充填された埋め戻し材の上面と、前記埋め戻し材の周縁に位置する前記コンクリートスラブの上面とがコーキング剤等の遮煙剤によって覆われていることを特徴とする排水設備における遮煙構造。
【請求項１２】
集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、
下階の排水立て管における受け口の上端面と、前記コンクリートスラブの貫通孔に充填された埋め戻し材の上面と、前記埋め戻し材の周縁に位置する前記コンクリートスラブの上面とには塗料状の遮煙剤が塗布されていることを特徴とする排水設備における遮煙構造。
【請求項１３】
請求項９から請求項１２のいずれかに記載された排水設備における遮煙構造であって、
下階の排水立て管は、
コンクリートスラブの貫通孔に通されて、上端部に受け口、下端部に配管接続部を備えるスラブ貫通型短管と、
前記コンクリートスラブの下側において前記スラブ貫通型短管の配管接続部に上端部が接続される排水立て管本体とから構成されていることを特徴とする排水設備における遮煙構造。
【請求項１４】
請求項９から請求項１３のいずれかに記載された排水設備における遮煙構造であって、
上階の排水管継手は、コンクリートスラブの上面に固定された支持架台によって支持されていることを特徴とする排水設備における遮煙構造。
【請求項１５】
上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、
前記コンクリートスラブの貫通孔に充填された埋め戻し材の上面と、前記埋め戻し材の周縁に位置する前記コンクリートスラブの上面とが、請求項７又は請求項８のいずれかに記載された遮煙シートで覆われており、
前記排水管継手の胴部と前記遮煙シートとの間にコーキング剤等の遮煙剤が全周に亘って充填されているとともに、前記胴部の側面に形成された横枝管受け口と前記遮煙シートとの狭窄空間にもコーキング剤等の遮煙剤が充填されていることを特徴とする排水設備における遮煙構造。
【請求項１６】
上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、
排水管継手の胴部と前記コンクリートスラブの貫通孔に充填された埋め戻し材との隙間部分、及びその埋め戻し材の上面と、前記埋め戻し材の周縁に位置する前記コンクリートスラブの上面とがコーキング剤等の遮煙剤によって覆われており、
前記排水管継手の胴部の側面に形成された横枝管受け口と前記埋め戻し材の上面との狭窄空間にコーキング剤等の遮煙剤が充填されていることを特徴とする排水設備における遮煙構造。
【請求項１７】
上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、
排水管継手の胴部と前記コンクリートスラブの貫通孔に充填された埋め戻し材との隙間部分、及びその埋め戻し材の上面と、前記埋め戻し材の周縁に位置する前記コンクリートスラブの上面とには塗料状の遮煙剤が塗布されており、
前記排水管継手の胴部の側面に形成された横枝管受け口と前記埋め戻し材の上面との狭窄空間に塗料状の遮煙剤が充填されていることを特徴とする排水設備における遮煙構造。
【請求項１８】
排水立て管の途中部分が集合住宅の上階と下階とを仕切るコンクリートスラブの貫通孔に通されている排水設備における遮煙構造であって、
前記コンクリートスラブの貫通孔に充填された埋め戻し材の上面と、前記埋め戻し材の周縁に位置する前記コンクリートスラブの上面とが、請求項１〜請求項６のいずれかに記載された遮煙シートで覆われており、
前記排水立て管と前記遮煙シートとの間にコーキング剤等の遮煙剤が全周に亘って充填されていることを特徴とする排水設備における遮煙構造。
【発明の詳細な説明】
【技術分野】
【０００１】
本発明は、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記排水立て管の受け口に上階の排水管継手を介して上階の排水立て管と上階の排水横枝管とが接続される構成の排水設備において使用される遮煙シート及び遮煙構造に関する。
【背景技術】
【０００２】
特許文献１で開示されているように、従来の一般的な排水設備では、図１６に示すように、排水管継手１１０の胴部１１２が集合住宅の上階と下階とを仕切るコンクリートスラブＣＳの貫通孔ＣＨに通されている。排水管継手１１０の上部受け口１１０ｕには上階の排水立て管（図示省略）が接続され、横枝管受け口１１０ｓ，１１０ｒには上階の排水横枝管（図示省略）が接続される。また、排水管継手１１０の胴部１１２の下端部がコンクリートスラブＣＳの下側で下階の排水立て管１２０と接続される。コンクリートスラブＣＳの貫通孔ＣＨには、排水管継手１１０の胴部１１２が通された後、モルタルＭが埋め戻される。これによって、火災等が発生した場合に煙がモルタルＭによって遮られ、下階から上階に流れ難くなる。
【０００３】
【特許文献１】特開２００３−５６７４４号公報
【発明の開示】
【発明が解決しようとする課題】
【０００４】
しかし、上記した構成では、固化したモルタルＭと排水管継手１１０の胴部１１２との間、あるいはモルタルＭと貫通孔ＣＨの内周面との間に隙間が形成されることがある。特に、モルタルＭの充填が不十分な場合には隙間が生じ易い。このため、火災時に前記隙間を通過して煙が下階から上階に漏れ出るおそれがある。
【０００５】
本発明は、上記問題点を解決するためになされたものであり、本発明の技術的課題は、火災時に排水管の周囲から煙が上階に漏れ出ないようにすることである。
【課題を解決するための手段】
【０００６】
上記した課題は、各請求項の発明によって解決される。
請求項１の発明は、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備において使用される遮煙シートであって、下階の排水立て管における受け口の上端面と、前記コンクリートスラブの貫通孔に充填された埋め戻し材の上面と、前記埋め戻し材の周縁に位置する前記コンクリートスラブの上面とを覆うことができるサイズに成形された煙遮断性能を有するシート本体と、前記シート本体を受け口の上端面、前記埋め戻し材の上面及び前記コンクリートスラブの上面に貼着させる貼着剤とを有することを特徴とする。
なお、「排水立て管の受け口の上端面がコンクリートスラブの上面とほぼ等しい高さ位置に保持される。」とは、前記受け口の上端面がコンクリートスラブの上面から数センチ程度突出しているような場合も含むものとする。
【０００７】
本発明によると、下階の排水立て管における受け口の上端面と、コンクリートスラブの貫通孔に充填された埋め戻し材の上面と、その埋め戻し材の周縁に位置するコンクリートスラブの上面とを、煙遮断性能を有するシート本体で覆うことができる。さらに、そのシート本体を貼着剤によって前記受け口の上端面、埋め戻し材の上面及びコンクリートスラブの上面に貼着できる。このため、埋め戻し材が、例えば、モルタルのような材料で、排水立て管と埋め戻し材間、あるいは埋め戻し材とコンクリートスラブ間に隙間が存在しても、その隙間が煙遮断性能を有するシート本体で塞がれるため、火災時に排水立て管の周囲から煙が上階に漏れ出ることがない。また、埋め戻し材が、例えば、耐火性の無機質繊維材料等で若干通気性を有していても、埋め戻し材の上面が前記シート本体で塞がれるため、同じく排水立て管の周囲から煙が上階に漏れ出ることがない。
また、貼着剤でシート本体をコンクリートスラブの上面等に貼着する構成のため、遮煙対策が容易になる。
【０００８】
請求項２の発明によると、シート本体は、加熱される面以外の面に所定時間以上継続して火炎が出ないような遮炎性能を有していることを特徴とする。
請求項３の発明によると、シート本体は、加熱される面以外の面の温度が予め決められた温度を超えないような遮熱性能を有していることを特徴とする。
このため、シート本体が燃え難く、長時間に亘って煙遮断性能を維持できるようになる。
ここで、請求項４に示すように、シート本体は、煙遮断性能を有する煙遮断層と、遮炎性能を有する遮炎層との積層体、あるいは前記煙遮断層と、遮熱性能を有する遮熱層との積層体、あるいは前記煙遮断層と、前記遮炎層と、前記遮熱層との積層体とすることが好ましい。
なお、煙遮断層には、煙遮断性能のみを有する層のみならず、煙遮断性能と遮炎性能とを有する層や、あるいは煙遮断性能と遮熱性能とを有する層も含むものとする。
また、遮炎層には、遮炎性能のみを有する層のみならず、遮炎性能と遮熱性能とを有する層も含むものとする。
同様に、遮熱層には、遮熱性能のみを有する層のみならず、遮熱性能と遮炎性能とを有する層も含むものとする。
請求項５の発明によると、貼着剤として両面テープが使用されており、その両面テープにおいてシート本体に貼着されている面と反対側の面には離型紙が貼り付けられていることを特徴とする。
このため、現場で離型紙を剥し、両面テープの粘着面を排水立て管における受け口の上端面、埋め戻し材の上面、及びコンクリートスラブの上面に貼り付けることで、遮煙シートをコンクリートスラブの上面等に固定できる。このため、現場における遮煙シートの貼着作業が容易になる。
請求項６の発明によると、貼着剤としてコーキング剤が使用されていることを特徴とする。
このように、貼着剤としてコーキング剤が使用されるため、遮煙シートの防水性を確保できるようになる。
【０００９】
請求項７の発明は、上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備において使用される遮煙シートであって、前記排水管継手の横枝管受け口の下側に貼着可能に構成されており、前記コンクリートスラブの貫通孔に充填された埋め戻し材の上面の一部と、前記埋め戻し材の周縁に位置する前記コンクリートスラブの上面の一部とを覆う煙遮断性能を有する受け口下側シートと、前記排水管継手の横枝管受け口の下側から前記埋め戻し材及びコンクリートスラブの上面に沿って張出した受け口下側シートの張出し部分と、前記受け口下側シートに覆われていない埋め戻し材の上面と、その埋め戻し材の周縁に位置する前記コンクリートスラブの上面とを覆う煙遮断性能を有する管継手周縁シートと、前記受け口下側シート及び管継手周縁シートを前記埋め戻し材の上面と前記コンクリートスラブの上面とに貼着させる貼着剤とを有することを特徴とする。
【００１０】
本発明によると、受け口下側シートを排水管継手の横枝管受け口の下側に貼着させた状態で、その排水管継手の胴部をコンクリートスラブの貫通孔に通して下階の排水立て管と接続させることができる。ここで、受け口下側シートは、埋め戻し材の上面の一部と、その埋め戻し材の周縁に位置するコンクリートスラブの上面の一部を覆う構成のため、その受け口下側シートが存在することで、前記貫通孔に埋め戻し材（例えば、モルタル）を充填する作業が妨げられることはない。そして、充填されたモルタルが固化した後、排水管継手の横枝管受け口の下側から張出した受け口下側シートの張出し部分と、前記受け口下側シートに覆われていないモルタルの上面と、そのモルタルの周縁に位置する前記コンクリートスラブの上面とを管継手周縁シートで覆うことができる。即ち、受け口下側シートを使用することで、従来は困難であった排水管継手の横枝管受け口とモルタルの上面との隙間に遮煙シートを挟み込むことができる。したがって、横枝管受け口の真下位置を含む排水管継手の胴部の周囲を遮煙シートで確実に覆うことができる。
このため、火災時に排水管継手の周囲から煙が上階に漏れ出ることがない。
【００１１】
請求項８の発明は、排水管継手の胴部に対する管継手周縁シートの接触部分、及び前記排水管継手の胴部に対する受け口下側シートの接触部分に、コーキング剤等の遮煙剤を充填可能な被充填層が設けられていることを特徴とする。
このため、管継手周縁シート等の被充填層にコーキング剤等の遮煙剤を充填することで、遮煙性能がさらに向上する。
請求項９の発明は、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、下階の排水立て管における受け口の上端面と、前記コンクリートスラブの貫通孔に充填された埋め戻し材の上面と、前記埋め戻し材の周縁に位置する前記コンクリートスラブの上面とが、請求項１から請求項６のいずれかに記載された遮煙シートで覆われていることを特徴とする。
【００１２】
請求項１０の発明によると、遮煙シートと、上階の排水管継手の胴部との間にはコーキング剤等の遮煙剤が全周に亘って充填されていることを特徴とする。
このため、遮煙性能を一層向上させることができる。
請求項１１の発明は、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、下階の排水立て管における受け口の上端面と、前記コンクリートスラブの貫通孔に充填された埋め戻し材の上面と、前記埋め戻し材の周縁に位置する前記コンクリートスラブの上面とがコーキング剤等の遮煙剤によって覆われていることを特徴とする。
このため、簡易的に遮煙対策を施すことができる。
【００１３】
請求項１２の発明は、集合住宅の上階と下階とを仕切るコンクリートスラブの貫通孔に下階の排水立て管が通されて、その排水立て管の受け口の上端面が前記コンクリートスラブの上面とほぼ等しい高さ位置に保持されており、前記下階の排水立て管の受け口に上階の排水管継手を介して上階の排水立て管と上階の排水横枝管とが接続される構成の排水設備における遮煙構造であって、下階の排水立て管における受け口の上端面と、前記コンクリートスラブの貫通孔に充填された埋め戻し材の上面と、前記埋め戻し材の周縁に位置する前記コンクリートスラブの上面とには塗料状の遮煙剤が塗布されていることを特徴とする。
このように、塗料状の遮煙剤を必要個所に塗布するだけで遮煙対策が施せるため、現場での遮煙作業が容易になる。
請求項１３の発明によると、下階の排水立て管は、コンクリートスラブの貫通孔に通されて、上端部に受け口、下端部に配管接続部を備えるスラブ貫通型短管と、前記コンクリートスラブの下側において前記スラブ貫通型短管の配管接続部に上端部が接続される排水立て管本体とから構成されていることを特徴とする。
請求項１４の発明によると、上階の排水管継手は、コンクリートスラブの上面に固定された支持架台によって支持されていることを特徴とする。
このため、例えば、地震等による振動が排水設備に加わっても、スラブ上面に位置する下階の排水立て管の受け口から上階の排水管継手が抜けるような不具合がない。
【００１４】
請求項１５の発明は、上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、前記コンクリートスラブの貫通孔に充填された埋め戻し材の上面と、前記埋め戻し材の周縁に位置する前記コンクリートスラブの上面とが、請求項７又は請求項８のいずれかに記載された遮煙シートで覆われており、前記排水管継手の胴部と前記遮煙シートとの間にコーキング剤等の遮煙剤が全周に亘って充填されているとともに、前記胴部の側面に形成された横枝管受け口と前記遮煙シートとの狭窄空間にもコーキング剤等の遮煙剤が充填されていることを特徴とする。
請求項１６の発明は、上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、排水管継手の胴部と前記コンクリートスラブの貫通孔に充填された埋め戻し材との隙間部分、及びその埋め戻し材の上面と、前記埋め戻し材の周縁に位置する前記コンクリートスラブの上面とがコーキング剤等の遮煙剤によって覆われており、前記排水管継手の胴部の側面に形成された横枝管受け口と前記埋め戻し材の上面との狭窄空間にコーキング剤等の遮煙剤が充填されていることを特徴とする。
このため、簡易的に遮煙対策を施すことができる。
【００１５】
請求項１７の発明は、上階の排水立て管と上階の排水横枝管とが接続される排水管継手の胴部が集合住宅の上階と下階とを仕切るコンクリートスラブの貫通孔に通されて、その排水管継手の胴部の下端部が前記コンクリートスラブの下側において下階の排水立て管と接続される構成の排水設備における遮煙構造であって、排水管継手の胴部と前記コンクリートスラブの貫通孔に充填された埋め戻し材との隙間部分、及びその埋め戻し材の上面と、前記埋め戻し材の周縁に位置する前記コンクリートスラブの上面とには塗料状の遮煙剤が塗布されており、前記排水管継手の胴部の側面に形成された横枝管受け口と前記埋め戻し材の上面との狭窄空間に塗料状の遮煙剤が充填されていることを特徴とする。
このように、塗料状の遮煙剤を必要個所に塗布するだけで遮煙対策が施せるため、現場での遮煙作業が容易になる。
請求項１８の発明は、排水立て管の途中部分が集合住宅の上階と下階とを仕切るコンクリートスラブの貫通孔に通されている排水設備における遮煙構造であって、前記コンクリートスラブの貫通孔に充填された埋め戻し材の上面と、前記埋め戻し材の周縁に位置する前記コンクリートスラブの上面とが、請求項１〜請求項６のいずれかに記載された遮煙シートで覆われており、前記排水立て管と前記遮煙シートとの間にコーキング剤等の遮煙剤が全周に亘って充填されていることを特徴とする。
【発明の効果】
【００１６】
本発明によると、排水管の周囲の隙間等が煙遮断性能を有するシート本体等で塞がれるため、火災時の煙が排水管の周囲から上階に漏れ出ることがない。また、貼着剤でシート本体をコンクリートスラブの上面等に貼着する構成のため、遮煙対策を容易に実施できるようになる。
【発明を実施するための最良の形態】
【００１７】
［実施形態１］
以下、図１〜図１０に基づいて本発明の実施形態１に係る遮煙シートの説明を行う。本実施形態に係る遮煙シートは、マンション等の集合住宅における排水設備に使用される遮煙シートであり、図１にその平面図及び縦断面図が示されている。また、図１〜図４は前記排水設備に使用される排水立て管の縦断面図及びその部分拡大図であり、図５〜図１０は遮煙シートの使用態様を表している。
本実施形態に係る遮煙シート８０の説明を行う前にマンション等の集合住宅における排水設備の説明を簡単に行う。
【００１８】
＜排水設備の概要＞
マンション等の集合住宅における排水設備は、図５（Ａ）に示すように、下階の排水立て管１０が上階と下階とを仕切るコンクリートスラブＣＳの貫通孔ＣＨに通されて、その排水立て管１０の受け口１３の上端面がコンクリートスラブＣＳの上面ＣＵとほぼ等しい高さ位置に保持されている。下階の排水立て管１０の受け口１３には、上階の排水管継手６０の下部配管６２が挿入接続され、その排水管継手６０の上部受け口６４に上階の排水立て管１０（図示省略）の下端部が挿入接続される。また、排水管継手６０の横枝管受け口６６には、上階の各々の衛生器具（流し台、洗面台等）からの排水を導く排水横枝管（図示省略）が挿入接続される。上記構成により、各階の各衛生器具（流し台、洗面台等）からの排水は、前記排水横枝管によって排水管継手６０まで導かれ、排水管継手６０の位置で排水立て管１０を流下する排水と合流して集合住宅の地下ピット等まで搬送される。
ここで、コンクリートスラブＣＳの貫通孔ＣＨには、埋め戻し用のモルタルＭが充填され、上階と下階とが仕切られる。即ち、モルタルＭが本発明の埋め戻し材に相当する。
【００１９】
＜排水設備の排水立て管１０＞
前記排水設備で使用される排水立て管１０は、例えば、硬質塩化ビニル製の内管１１を備えている。内管１１は、図２に示すように、直管部１２と、その直管部１２の一端（図２では上端）に形成された受け口１３とから構成されており、その受け口１３に前述の排水管継手６０（図５参照）の下部配管６２が接続される。図２に示すように、内管１１の直管部１２と受け口１３との間にはその受け口１３側で拡開するテーパ状の境界拡開部１３ｗが形成されている。
受け口１３の先端（上端）には、その受け口１３と排水管継手６０の下部配管６２との間をシールするシール材２０が装着されている。シール材２０は、リング状に形成された弾性体（例えば、ゴム）であり、図３に示すように、シール本体部２２と周縁部２４とから構成されている。なお、図３は、図２のIII矢視拡大図である。
シール本体部２２は、受け口１３と排水管継手６０の下部配管６２との間を実際にシールする部分であり、縦断面形状が略楔形をして、受け口１３の奥側に傾斜した状態で形成されている。シール材２０の周縁部２４は、シール材２０を受け口１３の先端に保持するための部位であり、その受け口１３の先端面１３ｆを覆うことができるように、受け口１３の配管肉厚寸法とほぼ等しい幅寸法でリング状に形成されている。
【００２０】
受け口１３には、シール材２０が装着された状態でシール材保持カバー３０が被せられている。
シール材保持カバー３０は、シール材２０の周縁部２４を押えてそのシール材２０を受け口１３の先端に保持しておくための、例えば、鋼板製のカバーであり、図３に示すように、円筒部３２と、曲がり部３３と、内フランジ部３４とによって、縦断面形状が略逆Ｌ字形に形成されている。円筒部３２には、受け口１３の外周面の溝１３ｍと係合可能な複数の係止爪３６が円周方向に形成されている。
なお、シール材保持カバー３０を硬質塩化ビニル等の樹脂により形成して、図４（Ａ）に示すように、そのシール材保持カバー３０の円筒部３２を受け口１３の外周面に接着しても良い。また、図４（Ｂ）に示すように、受け口１３の外周面の溝１３ｍと係止爪３２ｋとを係合させた状態で、シール材保持カバー３０の円筒部３２を受け口１３の外周面に接着しても良い。
図２に示すように、内管１１の直管部１２、受け口１３及びシール材保持カバー３０の円筒部３２は、可撓性を有する耐火遮音筒４０あるいは耐火遮音シート４０によって覆われている。耐火遮音筒４０あるいは耐火遮音シート４０は、内側の吸音層４２と外側の遮音層４４とから構成されている。
なお、耐火遮音シート４０の合わせ目部分、及び耐火遮音シート４０と耐火遮音筒４０との接続部分は、遮音層４４とほぼ等しい材質のジョイントテープ４６によって貼り合わされている。
【００２１】
＜排水立て管１０の施工方法＞
下階の排水立て管１０は、図５に示すように、コンクリートスラブＣＳの貫通孔ＣＨに通された状態で、その排水立て管１０のシール材保持カバー３０の内フランジ部３４がコンクリートスラブＣＳの上面ＣＵとほぼ等しくなるように位置決めされる。
次に、コンクリートスラブＣＳの貫通孔ＣＨの下側が平板（図示省略）等で塞がれた状態で、その貫通孔ＣＨにモルタルＭが充填される。そして、モルタルＭが固化した後、そのモルタルＭの上面ＭＵ及びその周縁のコンクリートスラブＣＳの上面ＣＵに、本実施形態に係る遮煙シート８０が装着される。そして、遮煙シート８０の装着後、排水立て管１０の受け口１３に排水管継手６０の下部配管６２が挿入接続される。
【００２２】
＜遮煙シート８０＞
本実施形態に係る遮煙シート８０は、図１（Ａ）に示すように、中央に円形開口８２を備えるリング状のシートであり、シート本体８４と、そのシート本体８４をモルタルＭの上面ＭＵ等に貼着させるための接着剤層８６（図１（Ｂ）参照）とから構成されている。シート本体８４は、煙遮断性能を有する布状部材であり、加熱される面以外の面に所定時間以上継続して火炎が出ないような遮炎性能と、加熱される面以外の面の温度が予め決められた温度（４７３Ｋ（ケルビン））を超えないような遮熱性能を有する材料により形成されている。ここで、シート本体８４は、火災時に短時間（前記所定時間以内）のうちに燃焼して炭化することにより、前記煙遮断性能、遮炎性能及び遮熱性能を満足するものであっても良し、シート本体８４自身が耐火性を有しており、燃焼することなく、前記煙遮断性能、遮炎性能及び遮熱性能を満足するものであっても良い。即ち、シート本体８４は、熱膨張性あるいは非熱膨張性のいずれであっても良い。このように、シート本体８４は、遮煙性能を満足できる材料であって炎や熱について実害を伴わない許容範囲内の性能を有するものであれば良い。
シート本体８４の材料としては、例えば、アスファルトにポリマーやゴム等を添加した改質アスファルトと不織布等が使用される。
接着剤層８６は、例えば、両面テープにより構成されており、片面の全体がシート本体８４に貼着されている。そして、前記両面テープの他面（シート本体８４と反対側の面）が離型紙８６ｐによって覆われている。これによって、離型紙８６ｐを剥せば、シート本体８４を容易にモルタルＭの上面ＭＵ等に貼着でき、シート本体８４の固定作業が容易になる。
遮煙シート８０の円形開口８２の内径寸法は、排水立て管１０におけるシール材保持カバー３０の内フランジ部３４の内径寸法にほぼ等しい値に設定されている。このため、遮煙シート８０によってシール材保持カバー３０の先端部（内フランジ部３４）を全体的に覆うことができるようになる。遮煙シート８０の外径寸法は、コンクリートスラブＣＳの貫通孔ＣＨの内径寸法よりも約200mm程度大きな値に設定されている。このため、貫通孔ＣＨの内周面から半径方向に約100mm以内にあるコンクリートスラブＣＳの上面ＣＵを遮煙シート８０で覆うことができるようになる（図５参照）。
なお、遮煙シート８０をリング状に形成する例を示したが、図１（Ａ）の二点鎖線で示すように、略角形に形成することも可能である。
【００２３】
＜遮煙シート８０の施工＞
遮煙シート８０は、下階の排水立て管１０がコンクリートスラブＣＳの貫通孔ＣＨに通された後、その貫通孔ＣＨに埋め戻されたモルタルＭが固化した段階で、図５（Ａ）（Ｂ）に示すように、前記モルタルＭの上面ＭＵ及びコンクリートスラブＣＳの上面ＣＵ等に貼着される。即ち、遮煙シート８０の接着剤層８６の離型紙８６ｐが剥された状態で、その遮煙シート８０の円形開口８２の周縁部分が排水立て管１０のシール材保持カバー３０の内フランジ部３４に貼着され、その周縁部分の外側がモルタルＭの上面ＭＵ及びコンクリートスラブＣＳの上面ＣＵに貼着される。これによって、排水立て管１０とモルタルＭとの間、あるいはモルタルＭとコンクリートスラブＣＳとの間に隙間（図示省略）が発生しても、その隙間が遮煙シート８０によって塞がれるようになる。
なお、接着剤層８６として両面テープを使用する例を示したが、両面テープの代わりに、コーキング剤を使用することも可能である。コーキング剤を使用することで、遮煙シート８０の防水性を確保できるようになる。
【００２４】
＜遮煙シート８０の作用＞
本実施形態に係る遮煙シート８０によると、上記したように、排水立て管１０とモルタルＭ間、あるいはモルタルＭとコンクリートスラブＣＳ間に隙間が存在しても、その隙間が煙遮断性能を有するシート本体８４で塞がれるため、火災時に排水立て管１０を伝って上昇する煙が前記隙間から上階に漏れ出ることがない。また、貼着剤でシート本体８４をコンクリートスラブＣＳの上面ＣＵ等に貼着する構成のため、遮煙対策が容易になる。さらに、シート本体８４は、遮炎性能及び遮熱性能を有しているため、シート本体８４が燃え難く、長時間に亘って煙遮断性能を維持できるようになる。また、他の火災現場から移動してきた煙に対しても遮煙効果がある。さらに、貼着剤としてコーキング剤を使用することで、遮煙シート８０の防水性を確保することができる。
＜変更例＞
なお、本実施形態では、図５（Ｂ）に示すように、排水立て管１０のシール材保持カバー３０及び耐火遮音シート４０の上端面に遮煙シート８０を直接的に貼着する例を示したが、図６に示すような構成（変更例）でも可能である。即ち、変更例では、排水立て管１０の耐火遮音シート４０の上端面にコーキング剤等の遮煙剤９８が充填された後、その排水立て管１０がコンクリートスラブＣＳの貫通孔ＣＨに通され、その貫通孔ＣＨにモルタルＭが充填される。次に、モルタルＭが固化した状態で、図６に示すように、遮煙シート８０の円形開口８２の周縁部分が排水立て管１０のシール材保持カバー３０に貼着され、その周縁部分の外側がモルタルＭの上面ＭＵ及びコンクリートスラブＣＳの上面ＣＵに貼着される。そして、上階の排水管継手６０の下部配管６２が排水立て管１０の受け口１３に挿入接続された後に、その排水管継手６０の胴部６１を覆う耐火遮音シート４０と遮煙シート８０との間（境界部分）にコーキング剤等の遮煙剤９８が全周に亘って充填される。
上記構成により、例えば、排水立て管１０の内部を上昇してその排水立て管１０の受け口１３から上階に漏れ出ようとする煙も効率的に遮断できるようになる。また、排水立て管１０の耐火遮音シート４０の上端面にコーキング剤が充填されるため、モルタル中の水分が耐火遮音シート４０の内側に入り込むことがない。
なお、図６では、排水管継手６０の胴部６１を覆う耐火遮音シート４０と遮煙シート８０との間（境界部分）にコーキング剤等の遮煙剤９８を充填する例を示したが、排水管継手６０の胴部６１が耐火遮音シート４０で覆われていない場合には、その排水管継手６０の胴部６１と遮煙シート８０との間にコーキング剤等の遮煙剤９８を充填しても良い。
【００２５】
＜他の排水設備における遮煙シート８０の使用例＞
本実施形態では、受け口１３の先端（上端）にシール材保持カバー３０を備え、内管１１の周囲が耐火遮音筒（シート）４０で覆われている排水立て管１０を備える排水設備に遮煙シート８０を使用した例を示したが、他の排水設備に前記遮煙シート８０を使用することも可能である。
例えば、図７（Ａ）は、内管１１の周囲が耐火繊維モルタル５０で覆われた排水立て管１０を備える排水設備に遮煙シート８０を使用した例を示している。また、図７（Ｂ）は、図７（Ａ）に示す耐火繊維モルタル５０の上端に形成された内フランジ部５４を省略し、この内フランジ部５４の代わりに遮煙シート８０を使用した例を表している。
図８は、耐火二層管７１と伸縮両受けソケット７２とからなる排水立て管１０を備える排水設備に遮煙シート８０を使用した例を示している。
図９は、鋳鉄管により形成された排水立て管１０を備える排水設備に遮煙シート８０を使用した例を示している。
【００２６】
図１０は、排水立て管１０の途中部分がコンクリートスラブＣＳの貫通孔ＣＨに通されている排水設備に遮煙シート８０を使用した例を表している。この場合、排水立て管１０と遮煙シート８０との間にコーキング剤等の遮煙剤９８を全周に亘って充填するのが好ましい。
また、図７から図９に示す排水設備においても、図６、図１０に示すように、上階の排水管継手６０の胴部６１と遮煙シート８０との間にコーキング剤等の遮煙剤９８を全周に亘って充填するのが好ましい。
また、本実施形態では、コンクリートスラブＣＳの貫通孔ＣＨにモルタルＭを充填する例を示したが、排水立て管１０等からコンクリートスラブＣＳへの振動（固体伝播音）防止対策としてモルタルＭの代わりに、例えば、ロックウールを充填した場合でも、遮煙シート８０により火災時の煙の漏れを防止できる。
また、本実施形態では、遮煙シート８０を使用して遮煙対策を行う例を示したが、例えば、図６において、遮煙シート８０を省略し、排水立て管１０のシール材保持カバー３０をコーキング剤等の遮煙剤９８で覆うとともに、排水立て管１０と埋め戻し用のモルタルＭとの間にコーキング剤等の遮煙剤９８を充填することも可能である。このようにすることで、簡易的に遮煙対策を施すことができる。このとき、埋め戻し用のモルタルＭとコンクリートスラブＣＳの貫通孔ＣＨの内壁面との間にもコーキング剤等の遮煙剤９８を充填するのが好ましい。
【００２７】
［実施形態２］
以下、図１１、図１２に基づいて本発明の実施形態２に係る遮煙シートの説明を行う。本実施形態に係る遮煙シート９０は、上階の排水立て管と排水横枝管（図示省略）とを下階の排水立て管１０に接続する排水管継手６０の胴部６１が集合住宅の上階と下階とを仕切るコンクリートスラブＣＳの貫通孔ＣＨに通される構成の排水設備において使用される遮煙シートである。
一般的に、排水管継手６０の胴部６１は、横枝管受け口６６がコンクリートスラブＣＳの上面ＣＵにほぼ当接するまで、そのコンクリートスラブＣＳの貫通孔ＣＨに通される。この状態で、前記貫通孔ＣＨに埋め戻し用のモルタルＭが充填されると、固化したモルタルＭの上面ＭＵ等と排水管継手６０の横枝管受け口６６との間に、実施形態１で説明した遮煙シート８０を挟み込むことはできない。本実施形態では、排水管継手６０の胴部６１が通されるコンクリートスラブＣＳの貫通孔ＣＨにおいて使用可能な遮煙シート９０について説明する。なお、遮煙シート９０の材質は、実施形態１で説明した遮煙シート８０と同様であるため、説明を省略する。
【００２８】
＜遮煙シート９０＞
遮煙シート９０は、図１２（Ａ）の平面図に示すように、受け口下側シート９２と、管継手周縁シート９４と、押えシート９６とから構成されている。受け口下側シート９２は、排水管継手６０の横枝管受け口６６の真下位置及びその周縁部分を覆うことができる角形シートであり、排水管継手６０の胴部６１をコンクリートスラブＣＳの貫通孔ＣＨに通す前に、図１２（Ｃ）に示すように、その排水管継手６０の横枝管受け口６６の下側に貼着される。なお、図１２（Ｃ）は、図１２（Ｂ）のＣ−Ｃ矢視断面図である。
管継手周縁シート９４は、排水管継手６０の横枝管受け口６６の下側位置を除いて、その排水管継手６０の周縁部分を覆うシートであり、略Ｕ字形に形成されている。また、押えシート９６は、管継手周縁シート９４の横枝管受け口６６側の両端部と、受け口下側シート９２の端部を押えるシートであり、角形に形成されている。
【００２９】
＜遮煙シート９０の施工＞
先ず、図１２（Ｂ）の左側に示すように、受け口下側シート９２が排水管継手６０の横枝管受け口６６の下側に貼着される。この状態で、排水管継手６０の胴部６１がコンクリートスラブＣＳの貫通孔ＣＨに通されて、その胴部６１の下端部が下階の排水立て管１０の受け口に挿入接続される（図１１参照）。なお、図１２（Ｂ）は、図１１の模式平面図を表している。
次に、コンクリートスラブＣＳの貫通孔ＣＨに埋め戻し用のモルタルＭが充填される。前述のように、受け口下側シート９２は、排水管継手６０の横枝管受け口６６の真下位置及びその周縁を覆う角形シートであるため、その受け口下側シート９２の存在により、前記貫通孔ＣＨをモルタルＭで埋め戻す作業が妨げられることがない。
そして、前記モルタルＭが固化した後、排水管継手６０の横枝管受け口６６の下側から張出した受け口下側シート９２の張出し部分と、その受け口下側シート９２に覆われていないモルタルＭの上面と、そのモルタルＭの周縁に位置するコンクリートスラブＣＳの上面ＣＵとが管継手周縁シート９４で覆われる（図１２（Ｂ）の中央参照）。次に、管継手周縁シート９４の横枝管受け口６６側の両端部と、受け口下側シート９２の端部とが押えシート９６に覆われる（図１２（Ｂ）の右端参照）。
【００３０】
＜遮煙シート９０の作用＞
即ち、横枝管受け口６６の真下位置を含む排水管継手６０の胴部６１の周囲（胴部６１とモルタルＭの境界部分、モルタルＭ部分及びモルタルＭとコンクリートスラブＣＳの境界部分）を受け口下側シート９２、管継手周縁シート９４及び押えシート９６で覆うことができる。
このため、排水管継手６０の胴部６１とモルタルＭ間、あるいはモルタルＭとコンクリートスラブＣＳ間に隙間が存在しても、火災時に排水管継手６０の周囲から煙が上階に漏れ出ることがない。
【００３１】
＜変更例１＞
なお、図１１に示すように、管継手周縁シート９４の周縁上面、及び押えシート９６の周縁上面に遮煙テープ９９の幅方向片側を貼り、その遮煙テープ９９の残りの片側をコンクリートスラブＣＳの上面ＣＵに貼着するようにすれば、遮煙上さらに好ましい。
また、排水管継手６０の胴部６１と管継手周縁シート９４及び受け口下側シート９２の接触部分Ｃ１（図１１参照）に、その排水管継手６０の胴部６１に沿ってコーキング剤等の遮煙剤を充填することにより遮煙性能がさらに向上する。このとき、排水管継手６０の横枝管受け口６６と受け口下側シート９２と接触部分Ｃ２（図１２（Ｃ）参照）にもコーキング剤等の遮煙剤を充填するのが好ましい。なお、排水管継手６０の横枝管受け口６６と埋め戻されたモルタルＭ（あるいはグラスウール等）の上面との狭窄空間にコーキング剤等の遮煙剤を充填することにより、受け口下側シート９２を省略することも可能である。
即ち、排水管継手６０の胴部６１に対する管継手周縁シート９４の接触部分Ｃ１、及び排水管継手６０の胴部６１に対する受け口下側シート９２の接触部分Ｃ２がコーキング剤等の遮煙剤を充填可能な被充填層に相当する。
ここで、前記遮煙剤としては、コーキング剤の代わりに遮煙性のある塗布防水剤を使用することも可能である。
また、図１１における受け口下側シート９２、管継手周縁シート９４、及び押えシート９６を省略して、排水管継手６０の胴部６１と埋め戻し用のモルタルＭとの間にコーキング剤等の遮煙剤を充填することで、簡易的に遮煙対策を施すことができる。このときも、埋め戻し用のモルタルＭとコンクリートスラブＣＳの貫通孔ＣＨの内壁面との間にコーキング剤等の遮煙剤９８を充填するのが好ましい。
【００３２】
＜変更例２＞
また、本実施形態１に係る遮煙シート８０のシート本体８４は、一枚のシート本体８４そのものが煙遮断性能、遮炎性能及び遮熱性能を有する材料により形成されている例（一層構造）を示した。しかし、上記したシート本体８４の代わりに、シート本体を煙遮断層と遮炎及び遮熱層との積層体（二層構造）、あるいは前記煙遮断及び遮熱層と遮炎層との積層体（二層構造）、あるいは前記煙遮断及び遮炎層と遮熱層との積層体（二層構造）、あるいは前記煙遮断層と前記遮炎層と前記遮熱層との積層体（三層構造）により構成することも可能である。
例えば、前記シート本体を煙遮断層と遮炎層と遮熱層との三層構造にする場合、遮炎層を上面にすれば、中間を遮熱層、下面を煙遮断層にする場合と、中間を煙遮断層、下面を遮熱層にする場合の２通りの組合せがある。同様に、遮熱層を上面にすれば２通りの組合せ、煙遮断層を上面にすれば２通りの組合せがある。したがって、シート本体を三層構造にする場合には、煙遮断層と遮炎層と遮熱層との組合せは６通りある。
また、前記シート本体を煙遮断及び遮熱層と遮炎層との二層構造にする場合、２通りの組合せがある。
また、前記シート本体を煙遮断及び遮炎層と遮熱層との二層構造にする場合、２通りの組合せがある。
また、前記シート本体を煙遮断層と遮熱及び遮炎層との二層構造にする場合、２通りの組合せがある。
したがって、前記シート本体は、一層構造を含めると、二層構造の場合が６通り、三層構造の場合が６通り、合計で１３通りの組合せがある。
【００３３】
［実施形態３］
以下、図１３〜図１４に基づいて本発明の実施形態３に係る排水設備の遮煙構造の説明を行う。本実施の形態では、遮煙シート８０，９０を使用しない遮煙構造を例示する。
先ず、前記遮煙構造の説明をする前に本実施形態に係る排水設備の説明を行う。
本実施形態に係る排水設備の排水立て管１０は、コンクリートスラブＣＳの貫通孔ＣＨに通されるスラブ貫通型短管１２０と排水立て管本体１２２とから構成されている。スラブ貫通型短管１２０は、上部受け口１２４が形成された大径部１２０ａと、テーパ部１２０ｂと、下端接続部１２４を備える小径部１２０ｃとから構成されている。
スラブ貫通型短管１２０は、上部受け口１２４の上端面が、図１４（Ａ）に示すように、コンクリートスラブＣＳの上面ＣＵから若干（数センチ程度）突出するように、埋め戻し用モルタルＭによってコンクリートスラブＣＳに固定されている。そして、スラブ貫通型短管１２０の上部受け口１２４に上階の排水管継手６０の下部配管（胴部下部）６２が挿入接続される（図１３参照）。また、スラブ貫通型短管１２０の下端接続部１２４に排水立て管本体１２２の上端部が挿入接続される。排水立て管本体１２２は、耐火二層管であり、硬質塩化ビニル製の内管１２２ｅと耐火繊維モルタル製の外管１２２ｒとから構成されている。そして、排水立て管本体１２２がスラブ貫通型短管１２０の下端接続部１２４に接続される際に、その排水立て管本体１２２の外管１２２ｒとスラブ貫通型短管１２０との間に湿式の耐火目地材１２２ｍがリング状に詰め込まれる。なお、上階の排水立て管本体１２２の外管１２２ｒと上階の排水管継手６０の上部受け口６４との間には乾式の耐火目地材１２２ｍが挟まれる。
【００３４】
スラブ貫通型短管１２０の内側壁には、互いに対向する一対の上部減速ガイド１２５と一対の下部旋回ガイド１２６とが設けられており、流下する排水を螺旋状に旋回させられるようになっている。また、スラブ貫通型短管１２０の大径部１２０ａ及びテーパ部１２０ｂの外周面には、そのスラブ貫通型短管１２０の剛性を高めることで振動を抑えるための制振リブ１２０ｘが設けられている。
排水管継手６０の横枝管受け口６６には排水ヘッダー１３０が接続されている。排水ヘッダー１３０は、略筒状に形成されて先端部に配管接続部１３１が設けられており、基端部１３２が排水管継手６０の横枝管受け口６６に接続される。排水ヘッダー１３０の側面には軸方向に等間隔で複数個（図では三個）の横枝管受け部１３４が設けられており、それらの横枝管受け部１３４から約90°回転した位置に蓋付の掃除口１３５が設けられている。さらに、排水ヘッダー１３０の側面には、中央の掃除口１３５の反対側位置（180°回転した位置）に複数個（図では二個）の突起１３８が設けられている。突起１３８は、排水ヘッダー１３０を排水管継手６０の横枝管受け口６６に接続したときに、その排水ヘッダー１３０をコンクリートスラブＣＳの上面に対して平行に保持するための足として使用される。
また、排水ヘッダー１３０の先端に設けられた配管接続部１３１には、異径ソケット１３９を介してトイレ等からの排水横枝管６７が接続される。
【００３５】
コンクリートスラブＣＳの上面ＣＵには、スラブ貫通型短管１２０の上部受け口１２４に挿入接続された排水管継手６０を支持するための支持架台１４０が固定されている。支持架台１４０は、排水管継手６０の周囲に立設される複数のネジ軸状の支柱１４２と、それらの支柱１４２の上端部に連結されて排水管継手６０の上部受け口６４を支える支持バンド１４５とを備えている。
支柱１４２は、コンクリートスラブＣＳの上面ＣＵに埋め込まれたホールインアンカ１４８にねじ込まれることで、コンクリートスラブＣＳの上面ＣＵに固定される。
支持バンド１４５は、一対の半円状の金属バンド片から構成されており、それらの金属バンド片の両端部が互いに連結されることで、円環部が形成される。そして、前記円環部によってゴム板１４６等を介した状態で排水管継手６０の上部受け口６４が支持されるようになっている。
このように、排水管継手６０が支持架台１４０によって支持されているため、例えば、排水設備に対して地震等の大きな振動が加わった場合でも、排水管継手６０がスラブ貫通型短管１２０の上部受け口１２４から抜け難くなる。
【００３６】
＜遮煙施工＞
遮煙施工には、塗料状の遮煙剤が使用される。前記遮煙剤は、例えば、センメント状の粉末を水や油性の液体で練って塗料状にしたものであり、塗布後に自然乾燥させることにより、防水性及び遮煙性を発揮する。このため、先に説明した遮煙シート８０，９０を使用せずに現場で簡易的に遮煙施工を行う場合に使用される。
遮煙施工は、スラブ貫通型短管１２０がコンクリートスラブＣＳの貫通孔ＣＨに通された後、その貫通孔ＣＨに埋め戻されたモルタルＭが固化した段階で行われる。即ち、図１３、図１４に示すように、スラブ貫通型短管１２０の上端部からモルタルＭの上面ＭＵ及びコンクリートスラブＣＳの上面ＣＵ等に塗料状の遮煙剤１５０が塗布される。なお、遮煙剤１５０の塗布は、刷毛やローラを使用する方法の他、吹き付け塗装による方法でも可能である。なお、遮煙剤１５０の塗布は複数回の分けて行い、塗膜が重なるようにするのが好ましい。さらに、スラブ貫通型短管１２０の上部受け口１２４に排水管継手６０の下部配管（胴部下部）６２が挿入接続された後、スラブ貫通型短管１２０の上端部と排水管継手６０との間にコーキング剤等の遮煙剤９８を全周に亘って充填すれば、スラブ貫通型短管１２０の上部受け口１２４から上階に漏れ出ようとする煙も効率的に遮断できるようになる。
ここで、スラブ貫通型短管１２０からコンクリートスラブＣＳへの振動（固体伝播音）防止対策として、図１３の二点鎖線で示すように、スラブ貫通型短管１２０の周囲を実施形態１で説明した耐火遮音シート４０で覆うことも可能である。また、スラブ貫通型短管１２０の周囲を熱膨張性シートで覆うようにすれば消防上の遮煙性能が一層向上する。
このように、塗料状の遮煙剤１５０を必要個所に塗布するだけで遮煙施工を行えるため、現場での遮煙作業が容易になる。
上記したように、本実施形態に係る排水設備は遮煙性等の消防上の性能を優先課題として検討された排水設備である。
また、図１４に示すように、スラブ貫通型短管１２０の上端部がコンクリートスラブＣＳの上面から若干突出しているため、スラブ貫通型短管１２０に排水管継手６０が接続されるまでの間、コンクリートスラブＣＳの上面に溜まった水がスラブ貫通型短管１２０に流れ込むような不具合がない。
【００３７】
＜変更例＞
本実施形態では、スラブ貫通型短管１２０の上端部をコンクリートスラブＣＳの上面から若干突出させる施工例を示したが、図１４（Ｂ）に示すように、スラブ貫通型短管１２０の上端面に蓋をビス止めできるようなビス孔１４９を設けておけば、スラブ貫通型短管１２０の上端面とコンクリートスラブＣＳの上面とを面一にすることも可能である。即ち、スラブ貫通型短管１２０に排水管継手６０が接続されるまでの間、スラブ貫通型短管１２０の上部受け口１２４を蓋（図示省略）で塞ぐことにより、コンクリートスラブＣＳの上面に溜まった水がスラブ貫通型短管１２０に流れ込むような不具合がない。
さらに、上記したように塗料状の遮煙剤１５０を塗布した後、遮煙シート８０を装着することも可能である。
なお、本実施形態では、スラブ貫通型短管１２０と排水立て管本体１２２とからなる排水立て管１０を備える排水設備の遮煙構造について例示したが、図１５に示すように、上部受け口が形成された通常の排水立て管１０を備える排水設備の遮煙対策に塗料状の遮煙剤１５０を使用することも可能である。
また、上記した塗料状の遮煙剤１５０を、遮炎性能を有する塗料、煙遮断性能を有する塗料、及び遮熱性能を有する塗料から構成し、各々の塗料により層分けをした状態で必要個所に塗布することも可能である。なお、前述の遮煙シート８０の場合と同様に、遮煙剤１５０の層分けの組合せは、合計で１３通りある。また、完全に層分けせずに、例えば、遮炎性能を有する塗料と煙遮断性能を有する塗料とを調合し、あるいは遮熱性能を有する塗料と煙遮断性能を有する塗料とを調合して遮煙剤１５０を構成することも可能である。さらに、遮炎性能、煙遮断性能、遮熱性能のそれぞれの機能を有する塗料を調合して遮煙剤１５０を構成することも可能である。なお、各々の塗料を調合する際の配分は、状況に応じて適宜変更可能である。
さらに、コーキング剤等の遮煙剤９８の場合も、塗料状の遮煙剤１５０と同様に、遮炎性能を有する材料、煙遮断性能を有する材料、及び遮熱性能を有する材料から構成し、各々の材料により層分けをした状態で必要個所を覆うことも可能である。また、完全に層分けせずに、遮炎性能、煙遮断性能、遮熱性能のそれぞれの機能を有する材料を適宜組合せて調合し、遮煙剤９８を構成することも可能である。
【図面の簡単な説明】
【００３８】
【図１】本発明の実施形態１に係る遮煙シートの平面図（Ａ図）、及び縦断面図（Ｂ図）である。
【図２】排水立て管の破断縦断面図である。
【図３】図２のＩＩＩ矢視拡大図である。
【図４】排水立て管の受け口部分の変更例を表す拡大縦断面図（Ａ図、Ｂ図）である。
【図５】遮煙シートの施工例を表す縦断面図（Ａ図）及びＡ図の部分拡大図（Ｂ図）である。
【図６】遮煙シートの別の施工例を表す縦断面図である。
【図７】遮煙シートの別の施工例を表す縦断面図（Ａ図、Ｂ図）である。
【図８】遮煙シートの別の施工例を表す縦断面図である。
【図９】遮煙シートの別の施工例を表す縦断面図である。
【図１０】遮煙シートの別の施工例を表す縦断面図である。
【図１１】本発明の実施形態２に係る遮煙シートの施工例を表す縦断面図である。
【図１２】遮煙シートの模式平面図（Ａ図）、遮煙シートの施工手順を表す模式平面図（Ｂ図）及びＢ図の模式C−C矢視図（Ｃ図）である。
【図１３】本発明の実施形態３に係る遮煙構造を表す縦断面図である。
【図１４】図１３の要部拡大図（Ａ図）及び変更例を表す要部拡大図（Ｂ図）である。
【図１５】遮煙構造の変更例を表す側面図である。
【図１６】従来の排水設備の縦断面図である
【符号の説明】
【００３９】
ＣＳ    コンクリートスラブ
ＣＵ    上面
ＣＨ    貫通孔
Ｍ      モルタル
ＭＵ    上面
１０    排水立て管
１３    受け口
６０    排水管継手
８０    遮煙シート
８２    貼着層
８４    シート本体
８６    貼着剤層
８６ｐ  離型紙
９２    受け口下側シート
９４    管継手周縁シート
９８    コーキング剤等の遮煙剤
１４０  支持架台
１５０  塗料状の遮煙剤
【図１】
2006322606.tif 000003
【図２】
2006322606.tif 000004
【図３】
2006322606.tif 000005
【図４】
2006322606.tif 000006
【図５】
2006322606.tif 000007
【図６】
2006322606.tif 000008
【図７】
2006322606.tif 000009
【図８】
2006322606.tif 000010
【図９】
2006322606.tif 000011
【図１０】
2006322606.tif 000012
【図１１】
2006322606.tif 000013
【図１２】
2006322606.tif 000014
【図１３】
2006322606.tif 000015
【図１４】
2006322606.tif 000016
【図１５】
2006322606.tif 000017
【図１６】
2006322606.tif 000018